(57)【要約】【課題】光ディスクの判別において、効率良く閾値を調整し、コストを抑えて、特性変化や経時変化などの影響による誤差を低減する。【解決手段】光ディスク判別装置は、ダミーディスクユニットを有し、ダミーディスクユニットを用いて、閾値を調整する。光ディスク判別装置は、光ディスクにレーザ光を出射して得られる反射光信号に基づいて、計測値を取得し、計測値と閾値を比較して光ディスクの種類を判別する。こうして内部のダミーディスクユニットを利用して閾値を調整することで、効率が上がり、コストを抑えて、特性変化や経時変化などの影響による誤差を低減することが可能となる。【選択図】図９
2009289342.tif 000002
【特許請求の範囲】
【請求項１】
ダミーディスクユニットと、
光ディスクにレーザ光を出射して得られる反射光信号に基づいて、計測値を取得する計測値取得手段と、
前記計測値と閾値とに基づいて前記光ディスクの種類を判別する判別手段と、
前記ダミーディスクユニットを用いて、前記閾値を調整する閾値調整手段と、を備えることを特徴とする光ディスク判別装置。
【請求項２】
前記ダミーディスクユニットは、単数または複数のダミーディスク片を有し、
前記単数または複数のダミーディスク片にレーザ光を出射して得られる反射光信号に基づいて、複数のリファレンス値を取得するリファレンス値取得手段を備え、
前記閾値調整手段は、前記複数のリファレンス値の中間の値を前記閾値とすることを特徴とする請求項１に記載の光ディスク判別装置。
【請求項３】
前記ダミーディスクユニットは、装填された前記光ディスクの最外周位置より外側に固定配置されており、
前記リファレンス値取得手段は、レーザ光を出射するピックアップを前記ダミーディスクユニットの下へ移動させ、出射したレーザ光の反射光信号に基づいて、前記リファレンス値を取得することを特徴とする請求項２に記載の光ディスク判別装置。
【請求項４】
前記ダミーディスクユニットを移動させるダミーディスクユニット駆動手段を備え、
前記ダミーディスクユニット駆動手段は、前記光ディスクが装填された状態では、ダミーディスクユニットを前記光ディスクの最外周位置より外側に移動させ、
前記光ディスクが装填されていない状態では、前記ダミーディスクユニットを前記光ディスクの最外周位置より内側に移動させ、
前記リファレンス値取得手段は、前記光ディスクが装填されていない状態で、レーザ光を出射するピックアップを前記ダミーディスクユニットの下へ移動させ、出射したレーザ光の反射光信号に基づいて、前記リファレンス値を取得することを特徴とする請求項２に記載の光ディスク判別装置。
【請求項５】
ローダートレー部を有し、
前記ダミーディスクユニットは前記ローダートレー部に取り付けられており、
前記ローダートレー部を移動させるローダートレー部駆動手段をさらに備え、
前記ローダートレー部駆動手段は、クローズ状態ではレーザ光を出射するピックアップの可動範囲外に前記ダミーディスクユニットを移動させ、オープン状態では前記ピックアップの可動範囲内に前記ダミーディスクユニットを移動させ、
前記リファレンス値取得手段は、前記オープン状態で、前記ピックアップを前記ダミーディスクユニットの下へ移動させ、出射したレーザ光の反射光信号に基づいて、前記リファレンス値を取得することを特徴とする請求項２に記載の光ディスク判別装置。
【請求項６】
ダミーディスクユニットを有する光ディスク判別装置によって実行される光ディスク判別方法であって、
光ディスクにレーザ光を出射して得られる反射光信号に基づいて、計測値を取得する計測値取得工程と、
前記計測値と閾値とに基づいて前記光ディスクの種類を判別する判別工程と、
前記ダミーディスクユニットを用いて、前記閾値を調整する閾値調整工程と、を有することを特徴とする光ディスク判別方法。
【発明の詳細な説明】
【技術分野】
【０００１】
本発明は、光ディスクの種別を判別する光ディスク判別装置に関する。
【背景技術】
【０００２】
近年、ＣＤやＤＶＤなどのように、構造の異なる複数種類のディスクが使用可能な記録・再生装置において、ＣＤやＤＶＤといったディスク種別を判別する方法として、ピックアップのレンズを駆動装置により上下させ、ディスク表面から反射層までの厚みの違いに起因する反射光の時間間隔の違いからディスク種別を判別する手法が広く用いられている。
【０００３】
上記手法を用いた場合、ピックアップのレンズ駆動装置の感度誤差、駆動電圧のバラつき、周囲温度の変化に起因する構成部品の特性変化、構成部品の経時変化等が原因となり、判断を誤る場合がある。上記対策として、一般的には各部構成部品の精度を高めることにより、誤差を押さえ込む手法が取られている。
【０００４】
特許文献１には、装填されたディスクに対してレーザ光を出射して得られる反射光の光量信号やフォーカスエラー信号からディスク表面に合焦したタイミングとディスク信号面に合焦したタイミングの時間差を計測し、その計測値に基づいてディスクの種別を判別する手法が記載されている。
【０００５】
特許文献２には、構成部品のバラつきに対する対策手段として、各ディスクにおける反射時間差を元にプロセッサにて閾値を調整する手法が記載されている。
【０００６】
特許文献３には、光学特性がそれぞれ異なる複数の模擬部材を用いて、ピックアップを調整する手法が記載されている。
【０００７】
【特許文献１】特開平１０−６４１８０号公報
【特許文献２】特開２００６−０３１８８５号公報
【特許文献３】特開２００５−０３５３２６２号公報
【発明の開示】
【発明が解決しようとする課題】
【０００８】
しかし、上記のディスクの種別を判別する手法を用いた場合、多大な設計負荷と多くの時間を要するだけでなく、コストアップの要因ともなる。上記の各ディスクにおける反射時間差を元に閾値を調整する手法では、閾値を決定する元となるディスクが調整用に特化されたものでは無いため、使用されるディスクによっては、最適な閾値が得られない場合が考えられる。一方、光学特性がそれぞれ異なる複数の模擬部材を用いて、ピックアップを調整する手法では、生産上の効率が悪く、コストアップにつながる。加えて、この手法では、温度変化に起因する構成部品の特性変化や経時変化の影響を避けることが出来ない。製品の使用環境や使用年数の違いにより、これらの特性は容易に変化し得る。
【０００９】
本発明が解決しようとする課題としては、上記のようなものが例として挙げられる。本発明は、効率良く閾値を調整し、コストを抑えて、特性変化や経時変化などの影響による誤差を低減する光ディスク判別装置を提供することを課題とする。
【課題を解決するための手段】
【００１０】
請求項１に記載の発明は、ダミーディスクユニットと、光ディスクにレーザ光を出射して得られる反射光信号に基づいて、計測値を取得する計測値取得手段と、前記計測値と閾値とに基づいて前記光ディスクの種類を判別する判別手段と、前記ダミーディスクユニットを用いて、前記閾値を調整する閾値調整手段と、を備えることを特徴とする。
【００１１】
請求項６に記載の発明は、ダミーディスクユニットを有する光ディスク判別装置によって実行される光ディスク判別方法であって、光ディスクにレーザ光を出射して得られる反射光信号に基づいて、計測値を取得する計測値取得工程と、前記計測値と閾値とに基づいて前記光ディスクの種類を判別する判別工程と、前記ダミーディスクユニットを用いて、前記閾値を調整する閾値調整工程と、を有することを特徴とする。
【発明を実施するための最良の形態】
【００１２】
本発明の好適な実施形態では、ダミーディスクユニットと、光ディスクにレーザ光を出射して得られる反射光信号に基づいて、計測値を取得する計測値取得手段と、前記計測値と閾値とに基づいて前記光ディスクの種類を判別する判別手段と、前記ダミーディスクユニットを用いて、前記閾値を調整する閾値調整手段と、を備える。
【００１３】
上記の光ディスク判別装置は、光ディスク判別装置の内部に閾値を調整する手段を備えることで、効率良く閾値を調整し、誤差を低減するコストを抑えることができる。また、ダミーディスクは常に一定の層構成を保持し続けるため、これを元に常に最適な状態を保持することが出来る。これにより特性変化や経時変化などの影響による誤差を低減することが可能となる。なお、反射光信号とは反射光の光量信号（ＲＦ信号）などである。
【００１４】
上記の光ディスク判別装置の他の一態様では、前記ダミーディスクユニットは、単数または複数のダミーディスク片を有し、前記単数または複数のダミーディスク片にレーザ光を出射して得られる反射光信号に基づいて、複数のリファレンス値を取得するリファレンス値取得手段を備え、前記閾値調整手段は、前記複数のリファレンス値の中間の値を前記閾値とする。これにより、光ディスク判別の精度を高めることができる。
【００１５】
上記の光ディスク判別装置の他の一態様では、前記ダミーディスクユニットは、装填された前記光ディスクの最外周位置より外側に固定配置されており、前記リファレンス値取得手段は、レーザ光を出射するピックアップを前記ダミーディスクユニットの下へ移動させ、出射したレーザ光の反射光信号に基づいて、前記リファレンス値を取得する。この態様では、光ディスクを装填した状態でもリファレンス値を取得し、閾値を調整することが可能となる。
【００１６】
上記の光ディスク判別装置の他の一態様では、前記ダミーディスクユニットを移動させるダミーディスクユニット駆動手段を備え、前記ダミーディスクユニット駆動手段は、前記光ディスクが装填された状態では、ダミーディスクユニットを前記光ディスクの最外周位置より外側に移動させ、前記光ディスクが装填されていない状態では、前記ダミーディスクユニットを前記光ディスクの最外周位置より内側に移動させ、前記リファレンス値取得手段は、前記光ディスクが装填されていない状態で、レーザ光を出射するピックアップを前記ダミーディスクユニットの下へ移動させ、出射したレーザ光の反射光信号に基づいて、前記リファレンス値を取得する。この態様では、光ディスクが装填されている状態では、ダミーディスクが干渉しない様にエリア外に退避し、光ディスクが装填されていない状態で、リファレンス値を取得し、閾値を調整する。これにより、光ディスク判別装置の小型化が可能となる。
【００１７】
上記の光ディスク判別装置の他の一態様では、ローダートレー部を有し、前記ダミーディスクユニットは前記ローダートレー部に取り付けられており、前記ローダートレー部を移動させるローダートレー部駆動手段をさらに備え、前記ローダートレー部駆動手段は、クローズ状態ではレーザ光を出射するピックアップの可動範囲外に前記ダミーディスクユニットを移動させ、オープン状態では前記ピックアップの可動範囲内に前記ダミーディスクユニットを移動させ、前記リファレンス値取得手段は、前記オープン状態で、前記ピックアップを前記ダミーディスクユニットの下へ移動させ、出射したレーザ光の反射光信号に基づいて、前記リファレンス値を取得する。この態様では、ローダートレー部にダミーディスクを固定し、調整はオープン状態で行う。オープン状態は使用者がディスクを装填する直前であり、この状態でリファレンス値を取得し、閾値を調整するので、時間的な効率が良い。また、簡易な構造であるので、ローコスト化が見込める。
【００１８】
本発明の他の実施形態では、ダミーディスクユニットを有する光ディスク判別装置によって実行される光ディスク判別方法は、光ディスクにレーザ光を出射して得られる反射光信号に基づいて、計測値を取得する計測値取得工程と、前記計測値と閾値とに基づいて前記光ディスクの種類を判別する判別工程と、前記ダミーディスクユニットを用いて、前記閾値を調整する閾値調整工程と、を有する。
【００１９】
上記の光ディスク判別方法によっても、効率良く閾値を調整し、コストを抑えて、特性変化や経時変化などの影響による誤差を低減することが可能となる。
【実施例】
【００２０】
以下、図面を参照して本発明の好適な実施例について説明する。
【００２１】
図１に、光ディスク判別装置１の概略構成を示す。図示のように、光ディスク判別装置１は、システムコントローラ１０、信号処理回路１１、ピックアップ駆動回路１２、ダミーディスク駆動回路１３、ピックアップ１４、ダミーディスクユニット２０、で構成されており、ピックアップ１４は、対物レンズ１５、レーザ制御回路１７、レーザダイオード１８、カップリングレンズ１９、ハーフミラー２１、フォトディテクター２２、によって構成されている。また、光ディスク１６は外部から装填される。
【００２２】
まず、光ディスクを判別する動作について説明する。光ディスク１６は、ＣＤ／ＤＶＤ／ＢＤ規格のいずれかであり、ＣＤ−ＲＯＭ、ＣＤ−Ｒ、ＣＤ−ＲＷ、ＤＶＤ−Ｒ、ＤＶＤ−ＲＷ、ＤＶＤ＋Ｒ、ＤＶＤ＋ＲＷ、ＤＶＤ−ＲＡＭ、ＢＤ−ＲＯＭ、ＢＤ−Ｒ、ＢＤ−ＲＥ、などが該当する。ピックアップ駆動回路１２は、対物レンズ１５をアクチュエータコイル（図示しない）によりフォーカス方向及びトラッキング方向に駆動する。レーザ制御回路１７は、レーザダイオード１８を制御して適正なレベルでレーザ光を出射させる。
【００２３】
出射されたレーザ光は、カップリングレンズ１９を通り、ハーフミラー２１を経由して、対物レンズ１５により光ディスク１６に集光される。光ディスク１６からの反射光は、ハーフミラー２１を透過してフォトディテクター２２にて受光検出される。検出された信号は、ピックアップ駆動回路１２及び信号処理回路１１に送られる。ピックアップ駆動回路１２は検出された信号に基づいて、ピックアップ１４を制御する。信号処理回路１１は、検出された信号に信号処理を行い、システムコントローラ１０に供給する。システムコントローラ１０は、受け取った信号から得た計測値と内部に保持している閾値とを比較して光ディスク１６の種別を判別する。
【００２４】
システムコントローラ１０は、ＣＰＵ（Central Processing Unit）、ＲＯＭ（Read Only Memory）及びＲＡＭ（Random Access Memory）を含んでおり、光ディスク判別装置１全体の制御を行う。
【００２５】
［機能構成］
次に、システムコントローラ１０の機能構成について説明する。図２は、システムコントローラ１０のうち、本発明による光ディスク判定処理に関連する機能構成を示す。
【００２６】
図示のように、システムコントローラ１０は、ダミーディスク駆動部１０１と、リファレンス値取得部１０２と、閾値調整部１０３と、計測値取得部１０４と、判別部１０５と、を備える。
【００２７】
ダミーディスク駆動部１０１は、ダミーディスクユニット２０を駆動させる。また、ダミーディスク駆動部１０１は、必要に応じて、ディスクを載置するローダートレー部を駆動させる。即ち、ダミーディスク駆動部１０１は、本発明におけるダミーディスクユニット駆動手段及びローダートレー部駆動手段として機能する。
【００２８】
リファレンス値取得部１０２は、ダミーディスクユニット２０にレーザ光を出射して得られる反射光信号（反射光の光量に対応するレベル）に基づいて、前述のリファレンス値を取得する。具体的には、レーザ光を出射するピックアップ１４をダミーディスクユニット２０の下へ移動させ、出射したレーザ光の反射光信号に基づいて、リファレンス値を取得する。
【００２９】
閾値調整部１０３は、ダミーディスクユニット２０を用いて、閾値を調整する。具体的には、閾値調整部１０３は、リファレンス値取得部１０２が取得した各リファレンス値の中間の値を閾値とする。
【００３０】
計測値取得部１０４は、光ディスク１６にレーザ光を出射して得られる反射光信号に基づいて、計測値を取得する。具体的には、レーザ光を出射するピックアップ１４を光ディスク１６の下へ移動させ、出射したレーザ光の反射光信号に基づいて、計測値を取得する。
【００３１】
判別部１０５は、計測値取得部１０４が取得した計測値と、閾値調整部１０３が調整した閾値とに基づいて光ディスク１６の種類を判定する。具体的には、判別部１０５は、計測値取得部１０４が取得した計測値が閾値よりも大きいか否かで光ディスク１６の種類を判定する。
【００３２】
［ダミーディスクユニット］
次にダミーディスクユニット２０について図３（ａ）を用いて説明する。図示のように、ダミーディスクユニット２０は、ＣＤ調整用ダミーディスク片２０１と、ＤＶＤ調整用ダミーディスク片２０２と、ＢＤ調整用ダミーディスク片２０３とが、ダミーディスク支持体２０４の上に配置されてなる。なお、図中の矢印２０５は、ダミーディスクユニット２０に対するピックアップ１４の移動方向を示す。ＣＤ調整用ダミーディスク片２０１はＣＤの一部であり、ＣＤと同様の層構成を有する。ＤＶＤ調整用ダミーディスク片２０２はＤＶＤの一部であり、ＤＶＤと同様の層構成を有する。ＢＤ調整用ダミーディスク片２０３はＢＤの一部であり、ＣＤと同様の層構成を有する。なお、３種類のディスクでは、ＣＤ、ＤＶＤ、ＢＤの順でポリカーボネート層が厚い（ＣＤ：１．２ｍｍ、ＤＶＤ：０．６ｍｍ、ＢＤ：０．１ｍｍ）。ダミーディスクユニット２０は、後述するように、光ディスク判別装置１内に設けられる。
【００３３】
なお、詳細は後述するが、ＣＤとＳＡＣＤ（一層）とＨｙｂｒｉｄ−ＳＡＣＤとを判別対象とする場合、ダミーディスクユニット２０の構成はＳＡＣＤ調整用ダミーディスク片のみをダミーディスク支持体２０４の上に配置することとしてもよい。
【００３４】
［閾値の決定方法］
次に、閾値を決定する方法について説明する。ダミーディスク駆動回路１３は、ダミーディスクユニット２０を所定の位置に移動させ、ピックアップ駆動回路１２は、ピックアップ１４をダミーディスクユニット２０の下に移動させる。レーザ制御回路１７は、レーザダイオード１８を制御してレーザ光を出射させる。出射されたレーザ光は、カップリングレンズ１９を通り、ハーフミラー２１を経由して、対物レンズ１５によりダミーディスクユニット２０に集光される。ダミーディスクユニット２０からの反射光は、ハーフミラー２１を透過してフォトディテクター２２にて受光検出される。検出された信号は、信号処理回路１１に送られ、信号処理が行われ、システムコントローラ１０に送られる。システムコントローラ１０は、受け取った信号から得たリファレンス値に基づいて、閾値を調整する。
【００３５】
具体的に、図４（ａ）に示すように、まずシステムコントローラ１０は、ＣＤ調整用ダミーディスク片２０１の下にピックアップ１４を移動させ、レーザダイオード１８からレーザ光を出射しながらピックアップ１４をＣＤ調整用ダミーディスク片２０１に近づけていく。ピックアップ１４がＣＤ調整用ダミーディスク片２０１に近づいていくと、レーザ光は最初にポリカーボネート層３０２にフォーカスする。ピックアップ１４がＣＤ調整用ダミーディスク片２０１にさらに近づくと、レーザ光は記録層３０１にフォーカスする。レーザ光がポリカーボネート層３０２にフォーカスしてから、記録層３０１にフォーカスするまでの時間差は、ポリカーボネート層３０２の厚さに対応する。よって、ポリカーボネート層が厚いほど、その間の時間差は大きくなる。
【００３６】
図４（ａ）において、波形３０５はＣＤ調整用ダミーディスク片２０１からの反射光のＲＦ信号の強さ（ＲＦレベル）である。波形３０５のエリア３０４を拡大したものが波形３０６である。ポリカーボネート層３０２からの反射と記録層３０１からの反射との時間差Ｔ３０７をＣＤ用リファレンス値Ｔｃｄとする。
【００３７】
同様に図４（ｂ）に示すように、システムコントローラ１０は、ＤＶＤ調整用ダミーディスク片２０２の下にピックアップ１４を移動させ、レーザダイオード１８からレーザ光を出射しながらピックアップ１４をＤＶＤ調整用ダミーディスク片２０２に近づけていく。ピックアップ１４をＤＶＤに近づけていくと、レーザ光は最初にポリカーボネート層３０９にフォーカスする。ピックアップ１４がさらに近づくと、レーザ光は記録層３０８にフォーカスする。
【００３８】
図４（ｂ）において、波形３１１はＤＶＤ調整用ダミーディスク片２０２からの反射光のＲＦレベルである。波形３１１のエリア３０４を拡大したものが波形３１２である。ポリカーボネート層３０９からの反射と記録層３０８からの反射との時間差Ｔ３１３をＤＶＤ用リファレンス値Ｔｄｖｄとする。なお、ＤＶＤ用リファレンス値Ｔｄｖｄは、図４（ａ）に示すＣＤ用リファレンス値Ｔｃｄよりも短い。
【００３９】
同様に図４（ｃ）に示すように、システムコントローラ１０は、ＢＤ調整用ダミーディスク片２０３の下にピックアップ１４を移動させ、レーザダイオード１８からレーザ光を出射しながらピックアップ１４をＢＤ調整用ダミーディスク片２０３に近づけていく。ピックアップ１４をＢＤ調整用ダミーディスク片２０３に近づけていくと、レーザ光は最初にポリカーボネート層３１５にフォーカスする。ピックアップ１４がさらに近づくと、レーザ光は記録層３１４にフォーカスする。
【００４０】
図４（ｃ）において、波形３１７はＢＤ調整用ダミーディスク片２０３からの反射光のＲＦレベルである。波形３１７のエリア３０４を拡大したものが波形３１８である。ポリカーボネート層３１５からの反射と記録層３１４からの反射との時間差Ｔ３１９をＢＤ用リファレンス値Ｔｂｄとする。ＢＤ用リファレンス値Ｔｂｄは、図４（ａ）に示すＣＤ用リファレンス値Ｔｃｄ及び図２（ｂ）に示すＤＶＤ用リファレンス値Ｔｄｖｄよりも短い。
【００４１】
こうして得られたリファレンス値Ｔｃｄ、Ｔｄｖｄ及びＴｂｄに基づいて、閾値が決定される。上記のようにポリカーボネート層の厚さの関係は、ＣＤ＞ＤＶＤ＞ＢＤであるので、リファレンス値の大小関係は、Ｔｃｄ＞Ｔｄｖｄ＞Ｔｂｄとなる。よって、リファレンス値ＴｃｄとＴｄｖｄの中間の値を閾値Ｔ１とし、リファレンス値ＴｄｖｄとＴｂｄの中間の値を閾値Ｔ２とする。
【００４２】
閾値の決定方法を図３（ｂ）に示す。分布図４０１、４０２、４０３はそれぞれ、リファレンス値取得部１０２が各調整用ダミーディスク片から複数回にわたり取得したＣＤ用リファレンス値Ｔｃｄ、ＤＶＤ用リファレンス値Ｔｄｖｄ及びＢＤ用リファレンス値Ｔｂｄの分布である。閾値調整部１０３は、分布図４０１と分布図４０２の中間値を閾値Ｔ１とし、分布図４０２と分布図４０３の中間値を閾値Ｔ２とする。なお、閾値Ｔ１とＴ２は、Ｔ１＞Ｔ２の関係となる。システムコントローラ１０は、こうして決定された閾値Ｔ１及びＴ２を記憶しておく。
【００４３】
［光ディスク判別］
さて、実際の光ディスク判別では、判別対象となるディスク（以下、「対象ディスク」と呼ぶ。）を光ディスク判別装置１に装填し、レーザ光を出射しつつピックアップ１４を対象ディスクへ近づけ、ポリカーボネート層での反射と、記録層での反射との間の時間差を計測する。判別部１０５は、時間差の計測値Ｔを閾値Ｔ１及びＴ２と比較し、比較結果に基づいて以下のようにディスクの種類を判別する。
【００４４】
計測値Ｔ＞閾値Ｔ１の場合：対象ディスクはＣＤ
閾値Ｔ１＞計測値Ｔ＞閾値Ｔ２の場合：対象ディスクはＤＶＤ
計測値Ｔ＜閾値Ｔ２の場合：対象ディスクはＢＤ
この時間差は、ピックアップ１４のアクチュエーターのＤＣ感度によっても変化する。ＤＣ感度が高いと、同じ電圧でもポリカーボネート層からの反射と記録層からの反射との時間差は短くなる。本実施例では、閾値調整部１０３が定期的に閾値を調整することでこのような誤差を軽減することができる。
【００４５】
上記の説明ではＣＤ、ＤＶＤ、ＢＤを判別対象とし、それぞれＣＤ、ＤＶＤ、ＢＤの調整用ダミーディスク片を用いて閾値を調整していたが、ＣＤ、ＳＡＣＤ（一層）、Ｈｙｂｒｉｄ−ＳＡＣＤを判別対象とする場合は、ＳＡＣＤ調整用ダミーディスク片のみを用いて閾値を調整することとしてもよい。
【００４６】
具体的に、図５にＣＤとＳＡＣＤ（一層）とＨｙｂｒｉｄ−ＳＡＣＤとを判別する方法を示す。対象ディスク２０６を光ディスク判別装置１に装填すると、まずシステムコントローラ１０は、対象ディスク２０６の下にピックアップ１４を移動させ、レーザダイオード１８からレーザ光を出射しながらピックアップ１４を対象ディスク２０６に近づけていく。対象ディスク２０６がＨｙｂｒｉｄ−ＳＡＣＤであった場合、ＳＡＣＤ記録面とＣＤ記録面の２つの記録面が存在するので、ディスク表面も含めて３回の反射を観測することになる。レーザ光は最初にディスク表面３２０にフォーカスし、ピックアップ１４が対象ディスク２０６にさらに近づくと、レーザ光はＳＡＣＤ記録面３２１にフォーカスする。ピックアップ１４が対象ディスク２０６にさらに近づくと、レーザ光はＣＤ記録面３２２にフォーカスする。各記録面にフォーカスするまでの時間差は、ディスク表面から各記録面までの厚さに対応する。ディスク表面３２０からＳＡＣＤ記録面３２１までの厚さ３２３（０．６ｍｍ）は、ＳＡＣＤ（一層）のディスク表面からＳＡＣＤ記録面までの厚さと同じであり、ディスク表面３２０からＣＤ記録面３２１までの厚さ３２４（１．２ｍｍ）は、ＣＤのディスク表面からＣＤ記録面までの厚さと同じである。
【００４７】
図５において、波形３２５は対象ディスク２０６からの反射光のＲＦ信号の強さ（ＲＦレベル）である。計測値取得部１０４は、対象ディスク２０６がＨｙｂｒｉｄ−ＳＡＣＤであった場合、１回目の反射と２回目の反射との時間差Ｔ３２６及び２回目の反射と３回目の反射との時間差Ｔ３２７を取得する。一方、対象ディスク２０６がＨｙｂｒｉｄ−ＳＡＣＤでなかった場合は３回目の反射を観測しない。
【００４８】
判別部１０５は、時間差Ｔ３２６＞閾値Ｔ１１であるならば、対象ディスク２０６はＣＤであると判定する。時間差Ｔ３２６＜閾値Ｔ１１であるならば、ＳＡＣＤ（一層）もしくはＨｙｂｒｉｄ−ＳＡＣＤであるので、３回目の反射が存在するかどうかを判定する。２回目の反射後、閾値Ｔ１２以内に３回目の反射が観測された場合、対象ディスク２０６はＨｙｂｒｉｄ−ＳＡＣＤであると判定する。閾値Ｔ１２以内に３回目の反射が観測されない場合、対象ディスク２０６はＳＡＣＤ（一層）であると判定する。即ち、判別部１０５は、以下のようにディスクの種類を判別する。
【００４９】
時間差Ｔ３２６＞閾値Ｔ１１の場合：対象ディスクはＣＤ
時間差Ｔ３２６＜閾値Ｔ１１の場合：ＳＡＣＤ（一層）もしくはＨｙｂｒｉｄ−ＳＡＣＤ
時間差Ｔ３２７＜閾値Ｔ１２：対象ディスクはＨｙｂｒｉｄ−ＳＡＣＤ
時間差Ｔ３２７＞閾値Ｔ１２：対象ディスクはＳＡＣＤ（一層）
ここで、閾値Ｔ１１及び閾値Ｔ１２の決定方法の一例を示す。ＳＡＣＤ調整用ダミーディスク片はＨｙｂｒｉｄ−ＳＡＣＤと同様の層構成を有し、ＳＡＣＤ記録面とＣＤ記録面の２つの記録面が存在するので、リファレンス値取得部１０２は、ディスク表面も含めて３回の反射を観測する。レーザ光は最初にディスク表面にフォーカスし、ピックアップ１４がＳＡＣＤ調整用ダミーディスク片にさらに近づくと、レーザ光はＳＡＣＤ記録面にフォーカスする。ピックアップ１４がＳＡＣＤ調整用ダミーディスク片にさらに近づくと、レーザ光はＣＤ記録面にフォーカスする。
【００５０】
リファレンス値取得部１０２は、１回目の反射と２回目の反射との時間差をＳＡＣＤ用リファレンス値Ｔｓａｃｄとし、１回目の反射と３回目の反射との時間差をＣＤ用リファレンス値Ｔｃｄとする。閾値調整部１０３は、ＴｓａｃｄとＴｃｄとの中間値を閾値Ｔ１１とする。なお、閾値Ｔ１２は２回目の反射後、十分長い検出時間を設ける必要があるため、ここではＴｃｄを閾値Ｔ１２とする。
【００５１】
［第１実施例］
次に、第１実施例における光ディスク判別装置の構造について図６を用いて説明する。
【００５２】
図６（ａ）は、第１実施例にかかる光ディスク判別装置の斜視図である。破線２３は、光ディスク１６を装填したときの光ディスクの最外周の位置である。即ち、第１実施例では、装填された光ディスク１６の最外周より外側にダミーディスクユニット２０が配置される。
【００５３】
図６（ｂ）は、第１実施例にかかる光ディスク判別装置の計測値取得時の側面図である。計測値取得部１０４が、レーザ光を出射するピックアップ１４を光ディスク１６の下へ移動させ、出射したレーザ光の反射光信号に基づいて、計測値を取得する。図６（ｃ）は、第１実施例にかかる光ディスク判別装置のリファレンス値取得時の側面図である。リファレンス値取得部１０２が、レーザ光を出射するピックアップ１４をダミーディスクユニット２０の下へ移動させ、出射したレーザ光の反射光信号に基づいて、リファレンス値を取得する。この実施例では、光ディスクを装填した状態でもリファレンス値を取得し、閾値を調整することが可能である。
【００５４】
なお、第１実施例では、ダミーディスクユニット２０は固定であり、駆動されないため、図１の光ディスク判別装置の概略構成におけるダミーディスク駆動回路１３及び機能構成におけるダミーディスク駆動部１０１は必要ない。
【００５５】
［第２実施例］
次に、第２実施例における光ディスク判別装置の構造について図７を用いて説明する。
【００５６】
図７（ａ）は、第２実施例にかかる光ディスク判別装置の斜視図である。破線２３は、光ディスク１６を装填したときの光ディスクの最外周の位置である。即ち、第２実施例では、光ディスク１６が装填された状態では、ダミーディスクユニット２０は干渉しない様に光ディスク１６の最外周より外側に退避している。
【００５７】
図７（ｂ）は、第２実施例にかかる光ディスク判別装置の計測値取得時の側面図及び上面図である。ダミーディスク駆動部１０１は、ダミーディスクユニット２０を光ディスク１６の最外周より外側に退避させ、計測値取得部１０４は、レーザ光を出射するピックアップ１４を光ディスク１６の下へ移動させ、出射したレーザ光の反射光信号に基づいて、計測値を取得する。
【００５８】
図７（ｃ）は、第２実施例にかかる光ディスク判別装置のリファレンス値取得時の側面図及び上面図である。ダミーディスク駆動部１０１は、ダミーディスクユニット２０を光ディスク１６の最外周より内側に回転移動させる。リファレンス値取得部１０２は、レーザ光を出射するピックアップ１４をダミーディスクユニット２０の下へ移動させ、出射したレーザ光の反射光信号に基づいて、リファレンス値を取得する。この実施例では、第１実施例よりも奥行きを浅くできるため、光ディスク判別装置自体の小型化が可能となる。なお、ダミーディスクユニット２０の回転移動は、モータなどを含む回転機構７０により行われる。
【００５９】
［第３実施例］
次に、第３実施例における光ディスク判別装置の構造について図８を用いて説明する。図８（ａ）は、第３実施例にかかる光ディスク判別装置の斜視図である。図示のように、第３実施例にかかる光ディスク判別装置はローダートレー部２４を備えており、ローダートレー部２４にダミーディスクユニット２０が固定されている。具体的には、ダミーディスクユニット２０は、ローダートレー部２４の、ディスクが配置される側（図中上側）と逆（図中下側）の面に取り付けられている。ローダートレー部２４は、図示しない移動機構により矢印２５の方向に駆動される。
【００６０】
図８（ｂ）は、ローダートレー部２４がクローズ状態の場合の第３実施例にかかる光ディスク判別装置の斜視図である。破線２３は、光ディスク１６を装填したときの光ディスクの最外周の位置である。第３実施例では、ローダートレー部２４がクローズ状態の場合、ローダートレー部２４に固定されたダミーディスクユニット２０はピックアップ１４の可動範囲外に位置している。
【００６１】
図８（ｃ）は、ローダートレー部２４がオープン状態の場合の第３実施例にかかる光ディスク判別装置の斜視図である。第３実施例では、ローダートレー部２４がオープン状態の場合、ダミーディスクユニット２０はピックアップ１４の可動範囲内に位置しており、リファレンス値取得部１０２が、レーザ光を出射するピックアップ１４をダミーディスクユニット２０の下へ移動させ、出射したレーザ光の反射光信号に基づいて、リファレンス値を取得する。
【００６２】
図８（ｄ）は、ローダートレー部２４がクローズ状態の場合の第３実施例にかかる光ディスク判別装置の側面図である。ダミーディスク駆動部１０１は、ローダートレー部２４をクローズ状態にすることで、ダミーディスクユニット２０をピックアップ１４の可動範囲外に退避させる。計測値取得部１０４は、レーザ光を出射するピックアップ１４を光ディスク１６の下へ移動させ、出射したレーザ光の反射光信号に基づいて、計測値を取得する。
【００６３】
図８（ｅ）は、ローダートレー部２４がオープン状態の場合の第３実施例にかかる光ディスク判別装置の側面図である。ダミーディスク駆動部１０１は、ローダートレー部２４をオープン状態にすることで、ダミーディスクユニット２０をピックアップ１４の可動範囲内に移動させる。リファレンス値取得部１０２が、レーザ光を出射するピックアップ１４をダミーディスクユニット２０の下へ移動させ、出射したレーザ光の反射光信号に基づいて、リファレンス値を取得する。
【００６４】
一般的にローダートレー部２４のオープン状態は使用者がディスクを装填する直前であり、第３実施例ではこの状態でリファレンス値を取得し、閾値を調整するので、時間的な効率が良い。また、簡易な構造であるので、装置のローコスト化が見込める。
【００６５】
なお、第３実施例では、ダミーディスクユニット２０はローダートレー部２４に固定されているため、図１の光ディスク判別装置の概略構成におけるダミーディスク駆動回路１３はダミーディスクユニット２０自体を駆動させるのではなく、ローダートレー部２４（図示せず。）を駆動させることで、ダミーディスクユニット２０を移動させることとなる。
【００６６】
［光ディスク判別処理］
次に、本実施例によるＣＤとＤＶＤとＢＤとを判別する光ディスク判別処理について説明する。図９は、ＣＤとＤＶＤとＢＤとを判別する光ディスク判別処理のフローチャートである。
【００６７】
まず、リファレンス値取得部１０２は、ピックアップ１４をダミーディスクユニット２０の下方へ移動し（ステップＳ１）、ピックアップ１４は、各ダミーディスク片にレーザ光を出射する（ステップＳ２）。リファレンス値取得部１０２は、各ダミーディスク片からの反射光信号に基づいて、各リファレンス値を取得する（ステップＳ３）。閾値調整部１０３は、各リファレンス値の中間の値を閾値とする（ステップＳ４）。
【００６８】
次に、計測値取得部１０４は、光ディスク１６が装填されたか否かを判定する（ステップＳ５）。光ディスク１６が装填されなかった場合（ステップＳ５；Ｎｏ）、処理を終了する。光ディスク１６が装填された場合（ステップＳ５；Ｙｅｓ）、計測値取得部１０４は、ピックアップ１４を光ディスク１６の下方へ移動し（ステップＳ６）、ピックアップ１４は、光ディスク１６にレーザ光を出射する（ステップＳ７）。計測値取得部１０４は、光ディスク１６からの反射光信号に基づいて、計測値Ｔを取得する（ステップＳ８）。
【００６９】
次に、判別部１０５は、計測値Ｔが閾値Ｔ１より大きいか否かを判定する（ステップＳ９）。計測値Ｔが閾値Ｔ１より大きかった場合（ステップＳ９；Ｙｅｓ）、判別部１０５は、そのディスクがＣＤであると判定し（ステップＳ１０）、処理を終了する。計測値Ｔが閾値Ｔ１より小さかった場合（ステップＳ９；Ｎｏ）、判別部１０５は、計測値Ｔが閾値Ｔ２より大きいか否かを判定する（ステップＳ１１）。計測値Ｔが閾値Ｔ２より大きかった場合（ステップＳ１１；Ｙｅｓ）、判別部１０５は、そのディスクがＤＶＤであると判定し（ステップＳ１２）、処理を終了する。一方、計測値Ｔが閾値Ｔ２より小さかった場合（ステップＳ１１；Ｎｏ）、判別部１０５は、そのディスクがＢＤであると判定し（ステップＳ１３）、処理を終了する。
【００７０】
次に、本実施例によるＣＤとＳＡＣＤ（一層）とＨｙｂｒｉｄ−ＳＡＣＤとを判別する光ディスク判別処理について説明する。図１０は、光ディスク判別処理（ＣＤ／ＳＡＣＤ（一層）／Ｈｙｂｒｉｄ−ＳＡＣＤ）のフローチャートである。
【００７１】
まず、リファレンス値取得部１０２は、ピックアップ１４をダミーディスクユニット２０の下方へ移動し（ステップＳ２１）、ピックアップ１４は、ＳＡＣＤ調整用ダミーディスク片にレーザ光を出射する（ステップＳ２２）。リファレンス値取得部１０２は、ＳＡＣＤ調整用ダミーディスク片からの反射光信号に基づいて、各リファレンス値を取得する（ステップＳ２３）。閾値調整部１０３は、各リファレンス値に基づいて閾値を決定する（ステップＳ２４）。
【００７２】
次に、計測値取得部１０４は、光ディスク１６が装填されたか否かを判定する（ステップＳ２５）。光ディスク１６が装填されなかった場合（ステップＳ２５；Ｎｏ）、処理を終了する。光ディスク１６が装填された場合（ステップＳ２５；Ｙｅｓ）、計測値取得部１０４は、ピックアップ１４を光ディスク１６の下方へ移動し（ステップＳ２６）、ピックアップ１４は、光ディスク１６にレーザ光を出射する（ステップＳ２７）。計測値取得部１０４は、光ディスク１６からの反射光信号に基づいて、１回目の反射と２回目の反射との時間差Ｔ３２６を取得する（ステップＳ２８）。
【００７３】
次に、判別部１０５は、時間差Ｔ３２６が閾値Ｔ１１より小さいか否かを判定する（ステップＳ２９）。時間差Ｔ３２６が閾値Ｔ１１より大きかった場合（ステップＳ２９；Ｎｏ）、判別部１０５は、そのディスクがＣＤであると判定し（ステップＳ３０）、処理を終了する。時間差Ｔ３２６が閾値Ｔ１１より小さかった場合（ステップＳ２９；Ｙｅｓ）、判別部１０５は、時間差Ｔ３２６を取得後、閾値Ｔ１２経過するまでに時間差Ｔ３２７を取得したか否かを判定する（ステップＳ３１）。閾値Ｔ１２経過するまでに時間差Ｔ３２７を取得しなかった場合（ステップＳ３１；Ｎｏ）、判別部１０５は、そのディスクがＳＡＣＤ（一層）であると判定し（ステップＳ３２）、処理を終了する。一方、閾値Ｔ１２経過するまでに時間差Ｔ３２７を取得した場合（ステップＳ３１；Ｙｅｓ）、判別部１０５は、そのディスクがＨｙｂｒｉｄ−ＳＡＣＤであると判定し（ステップＳ３３）、処理を終了する。
【００７４】
なお、図９及び図１０に示す光ディスク判別処理のうち、ステップＳ１〜Ｓ４及びステップＳ２１〜Ｓ２４は閾値調整処理に相当し、ステップＳ５〜Ｓ１３及びステップＳ２５〜Ｓ３３は実際の光ディスクの判別処理に相当する。ここで、ステップＳ５〜Ｓ１３及びステップＳ２５〜Ｓ３３の処理は光ディスク判別装置１にディスクが装填されるたびに行われるが、ステップＳ１〜Ｓ４の処理はディスクが装填されるたびに行う必要はない。よって、ステップＳ１〜Ｓ４及びステップＳ２１〜Ｓ２４の閾値調整処理は、例えば一定時間が経過する毎に行うこととしてもよいし、ユーザが指示したときに行うこととしてもよい。
【００７５】
以上説明したように、本実施例では、光ディスク判別装置の内部に閾値を調整するためのダミーディスクユニットを備えることで、効率良く閾値を調整し、誤差を低減するコストを抑えることができる。また、ダミーディスクは常に一定の層構成を保持し続けるため、これを元に常に最適な状態を保持することが出来る。これにより特性変化や経時変化などの影響による誤差を低減することが可能となる。さらに、各種の光ディスクのリファレンス値のばらつきのちょうど中間の値を光ディスク判別の閾値とすることにより、光ディスク判別の精度を高めることができる。
【００７６】
［変形例］
上記の実施例の光ディスク判別処理において、閾値調整処理は、例えば一定時間が経過する毎に行うこととしてもよいし、ユーザが指示したときに行うこととしてもよいとしていたが、本発明の適用はこれに限られず、環境の変化に合わせて行うこととしてもよいし、ユーザが不使用時に自動で行うこととしてもよい。
【００７７】
上記の第３実施例においては、ローダートレー部２４はオープン状態及びクローズ状態の２つの状態があることとしていたが、本発明の適用はこれに限られず、オープン状態及びクローズ状態に加え、リファレンス値を取得し、閾値を調整する調整状態の３つの状態としてもよい。
【図面の簡単な説明】
【００７８】
【図１】本発明の実施例に係る光ディスク判別装置の概略構成を示す。
【図２】本発明の実施例に係るシステムコントローラ１０の概略構成を示す。
【図３】（ａ）ダミーディスクユニットの例を示す。（ｂ）閾値の決定方法を示す。
【図４】（ａ）ＣＤ用リファレンス値の取得方法を示す。（ｂ）ＤＶＤ用リファレンス値の取得方法を示す。（ｃ）ＢＤ用リファレンス値の取得方法を示す。
【図５】ＣＤとＳＡＣＤ（一層）とＨｙｂｒｉｄ−ＳＡＣＤとの判別方法を示す。
【図６】第１実施例の光ディスク判別装置の構造を示す。
【図７】第２実施例の光ディスク判別装置の構造を示す。
【図８】第３実施例の光ディスク判別装置の構造を示す。
【図９】光ディスク判別処理（ＣＤ／ＤＶＤ／ＢＤ）のフローチャートである。
【図１０】光ディスク判別処理（ＣＤ／ＳＡＣＤ（一層）／Ｈｙｂｒｉｄ−ＳＡＣＤ）のフローチャートである。
【符号の説明】
【００７９】
１  光ディスク判別装置
１０  システムコントローラ
１４  ピックアップ
１６  光ディスク
２０  ダミーディスクユニット
２４  ローダートレー部
１０１  ダミーディスク駆動部
１０２  リファレンス値取得部
１０３  閾値調整部
１０４  計測値取得部
１０５  判別部
【図１】
2009289342.tif 000003
【図２】
2009289342.tif 000004
【図３】
2009289342.tif 000005
【図４】
2009289342.tif 000006
【図５】
2009289342.tif 000007
【図６】
2009289342.tif 000008
【図７】
2009289342.tif 000009
【図８】
2009289342.tif 000010
【図９】
2009289342.tif 000011
【図１０】
2009289342.tif 000012